(57)【要約】【課題】右利き用か左利き用かのいずれかの拘束部材を使用するものであって、安価で軽量で故障のないゴルフスイングトレーニング装置を提供する。【解決手段】右利き用か左利き用のいずれか一方のもので、１個の変形しない軽量で安価な素材から成る拘束部材１６に、右腕用へこみ部５０と左腕用へこみ部５２とを形成する。その拘束部材１６を収容する収容部材１８には、左腕の前腕を取付けるための左腕用前腕巻き付け部材１４を縫製等で一体に固定する。拘束部材１６を収容部材１８に装着し、左腕用前腕巻き付け部材１４に左腕を取付ける。右腕の前腕に取付けた右腕用前腕巻き付け部材１２を接着部材４８によって収容部材１８に固定する。拘束部材１６の右腕用へこみ部５０に右腕を接合させ、拘束部材１６の左腕用へこみ部５２に左腕を接合させる。拘束部材１６に右腕と左腕とを固定した状態でスイングを行うことで、右腕と左腕との適正な保持角度を体得できる。【選択図】図１
2009011539.tif 000002
【特許請求の範囲】
【請求項１】
スイングの際にゴルファーの左右の前腕を適正な位置関係に保持するためのゴルフスイングトレーニング装置であって、右腕の前腕か左腕の前腕のうちの一方に取付けるための第一前腕巻き付け部材と、右腕の前腕か左腕の前腕のうちの他方に取付けるための第二前腕巻き付け部材と、右腕の前腕が合致する形状の右側へこみ部と左腕の前腕と合致する形状の左側へこみ部とを形成するものであってスイング時に変形しないかほぼ変形しない素材から成る右利き用か左利き用のいずれか一方の利き腕用の拘束部材と、使用時に前記拘束部材を内部に収容する収容部材とから成り、使用時に前記収容部材を中央に位置させて前記収容部材と前記第一前腕巻き付け部材とを第一固定手段で固定した状態にすると共に前記収容部材と第二前腕巻き付け部材とを第二固定手段で固定した状態とすることを特徴とするゴルフスイングトレーニング装置。
【請求項２】
前記拘束部材において、利き腕とは違う腕の前腕が合致する前記へこみ部に、利き腕とは違う腕の前腕の手首に近い位置の橈骨の湾曲部に合致する湾曲部を形成し、前記湾曲部は手首側に近づくにつれて徐々に利き腕側のへこみ部に近づくようにしたことを特徴とする請求１記載のゴルフスイングトレーニング装置。
【請求項３】
前記拘束部材において、利き腕側の前腕が合致するへこみ部を前腕に沿った方向に直線状としたことを特徴とする請求１記載のゴルフスイングトレーニング装置。
【請求項４】
前記拘束部材の素材を、発泡スチロールかコルクか木材か合成樹脂狩のいずれかとしたことを特徴とする請求１乃至３記載のゴルフスイングトレーニング装置。
【請求項５】
前記第一前腕巻き付け部材の形状を、一方の開口部空間断面が相対的に広く他方の開口部空間断面が相対的に狭い筒状形状とし、開口部空間断面が相対的に広い側の端から開口部空間断面が相対的に狭い側に向かう途中までの前記第一前腕巻き付け部材に切れ目を形成し、前記第一前腕巻き付け部材に前記切れ目に対して直角方向に横断する舌状延長部を形成し、前記舌状延長部の自由端付近にフック素材／ループ素材から成るファスナーの一方の素材を取付け、前記第一前腕巻き付け部材の外表面をフック素材／ループ素材から成るファスナーの他方の素材としたことを特徴とする請求４記載のゴルフスイングトレーニング装置。
【請求項６】
前記第一前腕巻き付け部材において開口部空間断面が相対的に狭い位置付近に伸縮素材からなる締付け部材の一端を取付け、前記締付け部材の他端付近に前記フック素材／ループ素材から成るファスナーの一方の素材を取付けたことを特徴とする請求５記載のゴルフスイングトレーニング装置。
【請求項７】
前記第二前腕巻き付け部材の形状を、一方の開口部空間断面が相対的に広く他方の開口部空間断面が相対的に狭い筒状形状とし、開口部空間断面が相対的に広い側の端から開口部空間断面が相対的に狭い側に向かう途中までの前記第二前腕巻き付け部材に切れ目を形成し、前記第二前腕巻き付け部材に前記切れ目に対して直角方向に横断する舌状延長部を形成し、前記舌状延長部の自由端付近にフック素材／ループ素材から成るファスナーの一方の素材を取付け、前記第二前腕巻き付け部材の外表面をフック素材／ループ素材から成るファスナーの他方の素材としたことを特徴とする請求４記載のゴルフスイングトレーニング装置。
【請求項８】
前記第二前腕巻き付け部材において開口部空間断面が相対的に狭い位置付近に伸縮素材からなる締付け部材の一端を取付け、前記締付け部材の他端付近に前記フック素材／ループ素材から成るファスナーの一方の素材を取付けたことを特徴とする請求７記載のゴルフスイングトレーニング装置。
【請求項９】
前記第一固定手段が、フック素材／ループ素材から成るファスナーの一方の素材から成るものであって前記第一前腕巻き付け部材の外表面か前記収容部材の外表面のいずれか一方に取付けた部材と、フック素材／ループ素材から成るファスナーの他方の素材から成るものであって前記第一前腕巻き付け部材の外表面の素材か前記収容部材の外表面の素材のいずれか他方とから成り、前記第二固定手段が、前記収容部材と前記第二前腕巻き付け部材とを固定する縫製としたことを特徴とする請求項４記載のゴルフスイングトレーニング装置。
【発明の詳細な説明】
【技術分野】
【０００１】
本発明は、ゴルファーが練習時に使用してゴルフスイングを改良するためのゴルフスイングトレーニング装置に関するものである。
【背景技術】
【０００２】
従来から、ゴルファーがゴルフを上達するためには、アドレス時のスタンスや、ゴルフクラブの適切な握りや、ゴルフクラブを握った際の両腕の前腕の角度や、スイング時の上体のひねりや、スイング時の足の運び等、幾つかの重要な項目の全て理想的なものに近づけなければならない。これらの全ての項目を理想なものに近づけることによって、ボールの飛距離を伸ばし、ボールの方向性を安定させることができる。
【０００３】
ボールの飛距離が出なかったり、ボールが左右に曲がったりするには種々の原因が考えられるが、その主な原因の一つに、ゴルフクラブを保持する両腕の前腕の保持角度がスイング時に変化することが分かっている。即ち、アドレス時や、テークバック時や、インパクト時や、フォロースルー時に、ゴルフクラブを保持する両腕の前腕の保持角度が一定に保てないために、正確なショットが打てないのである。
【０００４】
そこで、アドレス時からフォロースルー時までの一連のスイングの際に、ゴルフクラブを握った両腕の前腕を一定の保持角度に拘束し、一連のスイングの際に両腕の前腕を一定の保持角度に保持することを体に覚え込ませるためのゴルフスイングトレーニング装置が特許文献１に提供されている。この特許文献１のゴルフスイングトレーニング装置を図８乃至図１０に基づいて説明する。
【０００５】
図８及び図９に示すように、ゴルフスイングトレーニング装置６０は主に、右腕の前腕の手首に近い位置に巻きつけるための筒状の右腕用前腕巻き付け部材６２と、左腕の前腕の手首に近い位置に巻きつけるための筒状の左腕用前腕巻き付け部材６４と、それら両腕の前腕巻き付け部材６２，６４の間に備えるものであってそれら前腕巻き付け部材６２，６４を着脱自在に接着固定するための拘束ウエッジ６６とから成る。前腕巻き付け部材６２，６４の筒状の外表面は、フック素材／ループ素材から成るファスナーの一方の素材であるループ素材で形成される。
【０００６】
拘束ウエッジ６６は、図１０に分解図で示すように、例えば右腕用前腕巻き付け部材６２と合致する湾曲形状の第一支持部材６８と、例えば左腕用前腕巻き付け部材６４と合致する湾曲形状の第二支持部材７０と、第一支持部材６８に固定される第一連結部材７２と、第二支持部材７０に固定されるものであって前記第一連結部材７２と連結固定するための第二連結部材７４とを有する。拘束ウエッジ６６は、更に、第一連結部材７２と第二連結部材７４との間に介在するものであって第一支持部材６８と第二支持部材７０との保持角度（傾斜角度）θ（図８及び図９参照）を調整するためのキー７６と、キー７６と第一連結部材７２との間に備えられそれら両者を常に離間する方向に付勢するためのスプリング７８と、スプリング７８に抗してキー７６を間に挟んで第一連結部材７２と第二連結部材７４とを固定するためのボルト８０とナットを備えるノブ８２とを有する。第一支持部材６８の右腕用前腕巻き付け部材６２と接触する面には、フック素材／ループ素材から成るファスナーのフック素材から成る接着部材８４が取付けられている。第二支持部材７０における左腕用前腕巻き付け部材６４と接触する面には、フック素材／ループ素材から成るファスナーのフック素材から成る接着部材８６が取付けられている。なお、２個の前腕巻き付け部材について、右腕用前腕巻き付け部材６２と左腕用前腕巻き付け部材６４としたが、これは説明を容易にするためであり、右腕用前腕巻き付け部材６２に左腕を巻き付け、左腕用前腕巻き付け部材６４に右腕を巻き付けても良いものである。
【０００７】
キー７６は、第一支持部材６８と第二支持部材７０との間の距離（間隔）を調節すると共に、第一支持部材６８と第二支持部材７０との保持角度θを調節するためのものである。第一支持部材６８と第二支持部材７０との間の距離（間隔）を調節するために、キー７６にはシャンク８８が形成され、第二連結部材７４にはシャンク８８と係合するための溝９０が形成されている。キー７６にはシャンク８８を貫通する貫通穴９２が形成されており、第二連結部材７４の溝９０に合致する位置に溝９０の長さ方向の長穴９４が形成されている。前記ボルト８０をキー７６の貫通穴９２と第二連結部材７４の長穴９４に通し、ボルト８０とナット（ノブ８２）によって、キー７６を間に挟んだ状態で第一連結部材７２と第二連結部材７４とを固定する。この際、長穴９４内におけるボルト８０の位置を変えることによって、第一支持部材６８と第二支持部材７０との間の距離を調節することができる。
【０００８】
第一支持部材６８と第二支持部材７０との保持角度θを調節するために、キー７６には複数の突条９６が形成され、第一支持部材６８には突条９６と係合するもので突条９６の数よりも多い数の係合溝９８が形成される。キー７６のシャンク８８は第二連結部材７４の溝９０と係合しているため、キー７６と第二連結部材７４との角度は変わらない。キー７６の複数の突条９６が第一支持部材６８の複数の係合溝９８との係合位置を異なる位置にすることによって、第一支持部材６８と第二支持部材７０との連結角度を変えることができ、この結果、図８や図９に示す第一支持部材６８と第二支持部材７０との保持角度θを変えることができる。
【０００９】
ゴルフスイングトレーニング装置６０を使用する場合には、ゴルファーの体の大きさ等に応じて、第一支持部材６８と第二支持部材７０との間の距離を調整すると共に、第一支持部材６８と第二支持部材７０との保持角度θを調整し、ボルト８０とノブ８２とで第一連結部材７２と第二連結部材７４を固定する。このゴルフスイングトレーニング装置６０は、右利きのゴルファーでも左利きのゴルファーでもどちらでも対応できるものなので、ゴルファー毎に第一支持部材６８と第二支持部材７０との間の距離の調整と、第一支持部材６８と第二支持部材７０との保持角度θの調整を行う必要があった。第一支持部材６８と第二支持部材７０との距離の調整と保持角度θの調整を行った後、右腕の前腕を挿通した状態の右腕用前腕巻き付け部材６２を拘束ウエッジ６６の第一支持部材６８の接着部材８４に接合させて互いに固定させると共に、左腕の前腕を挿通した状態の左腕用前腕巻き付け部材６４を拘束ウエッジ６６の第二支持部材７０の接着部材８６に接合させて互いに固定させる。これによって、図８に示すように、ゴルフスイングトレーニング装置６０にゴルファーの両腕の前腕を固定することができる。
【００１０】
練習時に、両腕の前腕をゴルフスイングトレーニング装置６０に固定した状態でスイングすることで、アドレスの際もテークバックの際もインパクトの際もフォロースルーの際も、ゴルフクラブを保持する両腕の前腕の保持角度θが一定となる。このゴルフスイングトレーニング装置６０では、両腕の前腕の保持角度θを一定に拘束された状態でスイングするので、ゴルファーは両腕の前腕の保持角度θを体で覚え、ゴルフスイングトレーニング装置６０を外した場合でも、アドレスからフォロースルーまでの一連のスイングの際に、両腕の前腕の保持角度θを一定に保った状態でスイングすることができる。
【００１１】
【特許文献１】特表平１０−５０７１０９
【発明の開示】
【発明が解決しようとする課題】
【００１２】
この従来既知のゴルフスイングトレーニング装置６０は、ゴルファーに応じて、第一支持部材６８と第二支持部材７０との相対的距離と相対的角度を変えることによって、右利きや左利きを問わず全てのゴルファーに適応できるようにしたものである。このように、全てのゴルファーに適応できるようにするために、拘束ウエッジ６６は多数の部品から構成されている。部品点数が多いため、拘束ウエッジ６６即ちゴルフスイングトレーニング装置６０の製造コストは高いものとなっていた。また、部品点数が多いと、調整の際に部品の紛失や部品の損傷が発生するおそれがあった。
【００１３】
ゴルフスイングトレーニング装置６０を購入した素人にとって、自分に合致する第一支持部材６８と第二支持部材７０との距離や、第一支持部材６８と第二支持部材７０と適正な保持角度θを自分で探すことはなかなか難しい。仮に、第一支持部材６８と第二支持部材７０との保持角度θを自分に合う角度であるとして自分勝手に設定したとしても、専門家の判断からすれば、保持角度θが合っていない場合が多い。素人が自分で設定した保持角度θが正しくない場合には、ゴルフスイングトレーニング装置６０を使用してどれだけ練習しても、何ら練習した効果が上がらないだけでなく、フォームが崩れてしまうという欠点があった。
【００１４】
また、上達の域に未だ達していないゴルファーがゴルフスイングトレーニング装置６０を使用すると、第一支持部材６８と第二支持部材７０との間に、互いに近接する方向と離間する方向とにスイング毎に繰り返し荷重がかかる。この繰り返しの荷重は、第一連結部材７２と第二連結部材７４とを連結するキー７６の突条９６に及ぶ。キー７６の素材は合成樹脂（特許文献１にキー７６等の素材は合成樹脂である旨記載されている）であり、しかもキー７６の突条９６の幅は狭いため、短時間で突条９６が破損してしまうおそれがある。キー７６の突条９６の強度を得るために、拘束ウエッジ６６の全ての部品を金属とすることも考えられるが、拘束ウエッジ６６の重量が重くなるため、ゴルフスイングトレーニング装置には採用することができない。
【００１５】
このゴルフスイングトレーニング装置６０では、第一支持部材６８と第二支持部材７０との間の距離を一定に保つために、ボルト８０とノブ８２との締付け力と、スプリング７８による反発力（第一連結部材７２とキー７６とを押す力）とを利用している。しかし、第一連結部材７２と第二連結部材７４に接近したり離間したりする繰り返し荷重がかかるため、ボルト８０とナットとの締付け力と、スプリング７８による反発力とで、長穴９４における所定の位置（第一支持部材６８と第二支持部材７０との間の距離を一定に保つ位置）にボルト８０を保持することができず、長穴９４におけるボルト８０の位置がずれてしまうという欠点があった。以上のように、このゴルフスイングトレーニング装置６０では、破損等によって、第一支持部材６８と第二支持部材７０との傾斜角度も一定に保てず、固定力の弱さによって、第一支持部材６８と第二支持部材７０との間の距離を一定に保つことができないないという不具合があった。
【００１６】
本発明は上記の点に鑑みてなされたもので、右利き用か左利き用かのいずれかの拘束部材を使用するものであって、安価で軽量で故障のないゴルフスイングトレーニング装置を提供することを目的とするものである。
【課題を解決するための手段】
【００１７】
本発明に係わるゴルフスイングトレーニング装置は、スイングの際にゴルファーの左右の前腕を適正な位置関係に保持するためのゴルフスイングトレーニング装置であって、右腕の前腕か左腕の前腕のうちの一方に取付けるための第一前腕巻き付け部材と、右腕の前腕か左腕の前腕のうちの他方に取付けるための第二前腕巻き付け部材と、右腕の前腕が合致する形状の右側へこみ部と左腕の前腕と合致する形状の左側へこみ部とを形成するものであってスイング時に変形しないかほぼ変形しない素材から成る右利き用か左利き用のいずれか一方の利き腕用の拘束部材と、使用時に前記拘束部材を内部に収容する収容部材とから成り、使用時に前記収容部材を中央に位置させて前記収容部材と前記第一前腕巻き付け部材とを第一固定手段で固定した状態にすると共に前記収容部材と第二前腕巻き付け部材とを第二固定手段で固定した状態とすることを特徴とするものである。本発明は、前記拘束部材において、利き腕とは違う腕の前腕が合致する前記へこみ部に、利き腕とは違う腕の前腕の手首に近い位置の橈骨の湾曲部に合致する湾曲部を形成し、前記湾曲部は手首側に近づくにつれて徐々に利き腕側のへこみ部に近づくようにしたことを特徴とするものである。本発明は、前記拘束部材において、利き腕側の前腕が合致するへこみ部を前腕に沿った方向に直線状としたことを特徴とするものである。本発明は、前記拘束部材の素材を、発泡スチロールかコルクか木材か合成樹脂狩のいずれかとしたことを特徴とするものである。本発明は、前記第一前腕巻き付け部材の形状を、一方の開口部空間断面が相対的に広く他方の開口部空間断面が相対的に狭い筒状形状とし、開口部空間断面が相対的に広い側の端から開口部空間断面が相対的に狭い側に向かう途中までの前記第一前腕巻き付け部材に切れ目を形成し、前記第一前腕巻き付け部材に前記切れ目に対して直角方向に横断する舌状延長部を形成し、前記舌状延長部の自由端付近にフック素材／ループ素材から成るファスナーの一方の素材を取付け、前記第一前腕巻き付け部材の外表面をフック素材／ループ素材から成るファスナーの他方の素材としたことを特徴とするものである。本発明は、前記第一前腕巻き付け部材において開口部空間断面が相対的に狭い位置付近に伸縮素材からなる締付け部材の一端を取付け、前記締付け部材の他端付近に前記フック素材／ループ素材から成るファスナーの一方の素材を取付けたことを特徴とするものである。本発明は、前記第二前腕巻き付け部材の形状を、一方の開口部空間断面が相対的に広く他方の開口部空間断面が相対的に狭い筒状形状とし、開口部空間断面が相対的に広い側の端から開口部空間断面が相対的に狭い側に向かう途中までの前記第二前腕巻き付け部材に切れ目を形成し、前記第二前腕巻き付け部材に前記切れ目に対して直角方向に横断する舌状延長部を形成し、前記舌状延長部の自由端付近にフック素材／ループ素材から成るファスナーの一方の素材を取付け、前記第二前腕巻き付け部材の外表面をフック素材／ループ素材から成るファスナーの他方の素材としたことを特徴とするものである。本発明は、前記第二前腕巻き付け部材において開口部空間断面が相対的に狭い位置付近に伸縮素材からなる締付け部材の一端を取付け、前記締付け部材の他端付近に前記フック素材／ループ素材から成るファスナーの一方の素材を取付けたことを特徴とするものである。本発明は、前記第一固定手段が、フック素材／ループ素材から成るファスナーの一方の素材から成るものであって前記第一前腕巻き付け部材の外表面か前記収容部材の外表面のいずれか一方に取付けた部材と、フック素材／ループ素材から成るファスナーの他方の素材から成るものであって前記第一前腕巻き付け部材の外表面の素材か前記収容部材の外表面の素材のいずれか他方とから成り、前記第二固定手段が、前記収容部材と前記第二前腕巻き付け部材とを固定する縫製としたことを特徴とするものである。
【発明の効果】
【００１８】
従来のゴルフスイングトレーニング装置では、両腕の前腕間の保持角度θを保つために、複数の部品から成る拘束ウエッジを用いていた。これに対して本発明は、スイングによって変形することが無く、１個の塊から成る軽量で安価な素材で、右利き用か左利き用かのいずれかの拘束部材（従来の拘束ウエッジに相当する）を用いるものである。右利き用の拘束部材か左利き用の拘束部材のいずれかを使用することによって、部品点数が多い従来の拘束ウエッジと比べて、製造コストを大幅に低減することができる。また、部品点数が多いと、調整の際に部品の紛失や部品の損傷が発生するおそれがあったが、本発明では、拘束部材は１個の塊から構成されるので、従来のような部品の紛失や部品の損傷が発生するおそれが無い。
【００１９】
本発明に係わるゴルフスイングトレーニング装置によれば、右利き用の拘束部材も左利き用の拘束部材も、両腕の前腕を拘束部材の右腕側へこみ部と左腕側へこみ部とに合致させるだけで、両腕の前腕の保持角度を適正角度に保てるように、ゴルフの専門家が拘束部材の形状を設計したものである。従って、従来のように両腕の前腕の保持角度を適正な角度に調整する必要が無く、しかも調整した保持角度が果たして自分に合った適正な保持角度になっているかどうか分からないという不安は無い。即ち、本発明の拘束部材はそれ自体が右利き用の殆どの人や左利き用の殆どの人に対して、理想的な形状に作られており、何ら調整する箇所が無いので、調整の不安を抱くことがなく、安心して使用することができる。
【００２０】
従来のゴルフスイングトレーニング装置では、上達の域に未だ達していないゴルファーが使用した場合に、２つの連結部材を連結しているキーに繰り返し荷重がかかり、キーが破損して両腕の保持角度を所定の角度に保てないおそれがあった。更に、繰り返し荷重がかかると、２つの連結部材の連結位置がずれて、２つの支持部材の間隔を一定に保持できないおそれがあった。これに対して、本発明に係わるゴルフスイングトレーニング装置によれば、両腕の前腕が接合する拘束部材は、繰り返し荷重によっても変形しない１個の塊から成っているので、破損することが無く、長期間にわたって常に安定した効果を達成することができる。
【発明を実施するための最良の形態】
【００２１】
次に本発明を図面に基づいて説明する。図１は本発明に係るゴルフスイングトレーニング装置の分解斜視図、図２は図１のゴルフスイングトレーニング装置の組み立て状態を示す斜視図、図３は本発明のゴルフスイングトレーニング装置を両腕に取付けた状態を示す正面図である。図１及び図２に示すように、ゴルフスイングトレーニング装置１０は主に、例えば右腕の前腕に巻きつけるための右腕用前腕巻き付け部材１２と、左腕の前腕に巻きつけるための左腕用前腕巻き付け部材１４と、それら右腕用前腕巻き付け部材１２と左腕用前腕巻き付け部材１４との間に備えられる拘束部材１６と、その拘束部材１６を包む収容部材１８とから成る。右腕用前腕巻き付け部材１２と左腕用前腕巻き付け部材１４と収容部材１８とは、若干の伸縮性を有する素材であって、外力によって形が自由に変形する柔軟な素材で形成するのが望ましい。それらの素材としては、例えばウエットススーツに使用する素材が考えられるが、必ずしもそれに限るものではない。
【００２２】
右腕用前腕巻き付け部材１２は、筒状でテーパ形状をしている。筒状でテーパ形状とは、筒状の内部空間において、軸方向の一端の開口部空間の断面が相対的に小さく、軸方向の他端の開口部空間の断面が相対的に大きいことを意味する。右腕用前腕巻き付け部材１２の筒状の外表面は、フック素材／ループ素材から成るファスナー（固定手段）のループ素材とする。フック素材／ループ素材から成るファスナーは、フック素材とループ素材とから成り、フック素材とループ素材とが接触すると、互いに接着（固定）した状態となるが、人が外力を加えることによってフック素材とループ素材との接着（固定）状態が解除されるものである。なお、本願で“ループ素材”は、ファスナーの“フック素材”が接着する素材のものであれば全ての素材を含むものとする。
【００２３】
右腕用前腕巻き付け部材１２には、空間断面の大きい開口部側の端から空間断面の小さい開口部側に向けて、途中まで切れ目２０を形成する。この切れ目２０は軸方向途中までのものの方が、筒状の右腕用前腕巻き付け部材１２に右腕を通すのに都合が良いためである。この右腕用前腕巻き付け部材１２には、切れ目２０を越えて切れ目２０に直角方向に伸びる舌状延長部２２が、切れ目２０に沿って複数個（２個）形成されている。この舌状延長部２２の自由端付近には、フック素材／ループ素材から成るファスナー（固定部材）のフックから成る接着部材２４が取付けられている。右腕用前腕巻き付け部材１２の空間断面の小さい開口部付近に、前記舌状延長部２２と平行に配置したゴム等の伸縮素材から成る締付け部材２６の一端を取付ける。この締付け部材２６の自由端付近には、フック素材／ループ素材から成るファスナーのフックから成る接着部材２８が取付けられている。
【００２４】
この右腕用前腕巻き付け部材１２に右腕を取付ける場合には、先ず右腕を右腕用前腕巻き付け部材１２に挿入し、その後、舌状延長部２２で切れ目２０を横断し、その舌状延長部２２の接着部材２４を右腕用前腕巻き付け部材１２に接着する。その後、締付け部材２６で右腕用前腕巻き付け部材１２の空間断面の小さい開口部付近を締付け、その締付け部材２６の接着部材２８を右腕用前腕巻き付け部材１２に接着する。この締付け部材２６による右腕用前腕巻き付け部材１２の締付けによって、右腕を右腕用前腕巻き付け部材１２に強固に固定することができる。
【００２５】
左腕用前腕巻き付け部材１４は、右腕用前腕巻き付け部材１２と同様、筒状でテーパ形状をしている。左腕用前腕巻き付け部材１４の筒状の外表面は、フック素材／ループ素材から成るファスナー（固定手段）のループ素材とする。左腕用前腕巻き付け部材１４には、断面の大きい開口部側の端から断面の小さい開口部側に向けて、途中まで切れ目３０を形成する。この切れ目３０は軸方向途中までのものの方が、筒状の右腕用前腕巻き付け部材１２に右腕を通すのに都合が良いためである。
【００２６】
この左腕用前腕巻き付け部材１４には、切れ目３０を越えて切れ目３０に直角方向に伸びる舌状延長部３２が、切れ目３０に沿って複数個（２個）形成されている。この舌状延長部３２の自由端付近には、フック素材／ループ素材から成るファスナー（固定部材）のフックから成る接着部材３４が取付けられている。左腕用前腕巻き付け部材１４の空間断面の小さい開口部付近に、前記舌状延長部３２と平行に配置したゴム等の伸縮素材から成る締付け部材３６の一端を取付ける。この締付け部材３６の自由端付近には、フック素材／ループ素材から成るファスナーのフックから成る接着部材３７が取付けられている。締付け部材３６の上側を覆い被さるように、覆い部材３８が収容部材１８と左腕用前腕巻き付け部材１４の一部に縫製等によって固定されている。覆い部材３８における縫製箇所以外の箇所で締付け部材３６の上側を覆い被さる箇所は、フック素材／ループ素材から成るファスナーのフックから成る接着部材３９が取付けられている。覆い部材３８を締付け部材３６の上側に覆い被せた場合には、覆い部材３８の自由端付近の接着部材３９は、左腕用前腕巻き付け部材１４に接着するように構成されている。
【００２７】
この左腕用前腕巻き付け部材１４に左腕を取付ける場合には、先ず左腕を左腕用前腕巻き付け部材１４に挿入し、その後、舌状延長部３２で切れ目３０を横断し、その舌状延長部３２の接着部材３４を左腕用前腕巻き付け部材１４に接着する。その後、締付け部材３６で左腕用前腕巻き付け部材１４の空間断面の小さい開口部付近を締付け、その締付け部材３６の接着部材３７を左腕用前腕巻き付け部材１４に接着する。この締付け部材３６による左腕用前腕巻き付け部材１４の締付けによって、左腕を左腕用前腕巻き付け部材１４に強固に固定することができる。更に、覆い部材３８を締付け部材３６の上側に覆い被せて左腕用前腕巻き付け部材１４に接着することによって、拘束部材１６と左腕の前腕とを強固に固定することができる。
【００２８】
収容部材１８は、左腕用前腕巻き付け部材１４に例えば縫製等の固定手段（第二固定手段）によって一体に固定されている。収容部材１８は、一端閉鎖の筒状でテーパ形状（軸方向の一端の空間断面が小さく、軸方向の他端の空間断面が大きい形状）をしている。収容部材１８の空間断面の小さい箇所と左腕用前腕巻き付け部材１４の空間断面の小さい箇所とを縫製等の固定手段で固定し、収容部材１８の空間断面の大きい箇所と左腕用前腕巻き付け部材１４の空間断面の大きい箇所とを縫製等の固定手段（第二固定手段）で固定する。収容部材１８の筒状の外表面は、フック素材／ループ素材から成るファスナーのループ素材とする。収容部材１８と左腕用前腕巻き付け部材１４とを縫製等によって一体に固定する場合に、互いに接合する箇所は、２つの部材（左腕用前腕巻き付け部材１４と収容部材１８）が重なり合う。このため、２つの部材が重なり合う箇所を、１つの部材のみから構成するようにしても良い。
【００２９】
収容部材１８において、断面の小さい先端箇所は閉鎖端面４０（図２）となっており、その反対側の空間断面の大きい箇所の端面は開口部４２となっている。収容部材１８には、開口部４２を覆う舌状延長部４４を有しており、その舌状延長部４４にはフック／ループ構成のファスナーのフックから成る接着部材４６が取付けられている。収容部材１８には、前記左腕用前腕巻き付け部材１４を一体に固定した位置と反対側の位置に、フック素材／ループ素材から成るファスナーのフックから成る接着部材（第二固定手段）４８が取付けられている。右腕用前腕巻き付け部材１２の外表面は、フック素材／ループ素材から成るファスナーのループ素材（第二固定手段）とし、右腕用前腕巻き付け部材１２の外表面の素材と、ファスナーのフックから成る接着部材４８とで、第二固定手段を構成する。
【００３０】
収容部材１８の開口部４２からその内部空間にかけて、図４乃至図７に示す拘束部材１６を挿入する。収容部材１８の内部空間に拘束部材１６を挿入した後、舌状延長部４４で収容部材１８の開口部４２を閉じ、舌状延長部４４の先端付近に取付けた接着部材４６を収容部材１８の外表面に接合させて、舌状延長部４４の接着部材４６と収容部材１８の外表面とを接着する。これによって、拘束部材１６は収容部材１８の内部に収容される。筒状の収容部材１８は、その内部に拘束部材１６を収容した状態においては、拘束部材１６が軸方向に移動したりあるいは軸中心に回転したりすることが無いような寸法や形状に設定する。
【００３１】
次に、図４乃至図７に示す拘束部材１６について説明する。拘束部材１６は、ゴルフのスイング時に腕の力が加わっても変形しないかほぼ変形せず、しかも軽量で安価な素材から構成し、しかも１つの塊として形成される。変形しないかほぼ変形しないものであって軽量で安価な拘束部材１６の素材としては、例えば、発砲スチロールやコルクや硬質ゴムや硬質スポンジや合成樹脂等が考えられるが、拘束部材１６の素材としてはこれらに限るものではない。拘束部材１６の素材としては、特に発砲スチロールが適している。拘束部材１６の素材は、ゴルフのスイング時に腕の力が加わっても“変形しないかほぼ変形しないもの”としたが、“ほぼ変形しないもの”とは、スイング時に腕の力が加わった場合に、数ミリ程度の変形があるもの含むものとする。スイング時に腕の力が加わった場合に、両腕や右腕用前腕巻き付け部材１２や左腕用前腕巻き付け部材１４や収容部材１８に、数ミリ程度の変形があることから、拘束部材１６の素材を、スイング時に腕の力が加わった場合に“ほぼ変形しないもの”とし、数ミリ程度の変形があるものを含むものとする。
【００３２】
図４乃至図７に示すように、拘束部材１６には、右前腕が間接的に接合するための右腕側へこみ部５０と、左前腕が間接的に接合するための左腕側へこみ部５２とが、その表面に形成されている。図７に示すように、右腕側へこみ部５０も左腕側へこみ部５２も、前腕と合致するために、断面の外表面は円弧形状となっている。即ち、右腕側へこみ部５０に右腕の前腕が接合した（左腕側へこみ部５２に右腕の前腕を受け入れた）場合に、右腕の前腕が拘束部材１６に嵌合されて、右腕の前腕が拘束部材１６に対して動かないように設定されている。同様に、左腕側へこみ部５２に左腕の前腕が接合した（左腕側へこみ部５２に左腕の前腕を受け入れた）場合に、左腕の前腕が拘束部材１６に嵌合されて、左腕の前腕が拘束部材１６に対して動かないように設定されている。図４に示すように、拘束部材１６は収容部材１８に挿入する挿入先端側は右腕側へこみ部５０と左腕側へこみ部５２との間の横幅が狭く、挿入先端側は横幅が広いものになっている。このため、右腕側へこみ部５０と左腕側へこみ部５２とは、楔形の配置となっている。
【００３３】
図４乃至図７に示す拘束部材１６は、右利きのゴルファー用のものである。右利き用の拘束部材１６において、左腕側へこみ部５２の最深へこみ位置は、横幅が広い位置から横幅が狭い位置に向かう７０〜８０％の長さはほぼ直線状に形成されている。しかし、左腕側へこみ部５２の残り２０〜３０％の長さ（横幅が狭い位置に至るまでの長さ）は、徐々に右腕側へこみ部５０に近づく湾曲した湾曲部５４が形成されている。この湾曲部５４の形状は、左の前腕の撓骨の手首に近い位置の湾曲形状に合わせたものである。一方、右腕側へこみ部５０の最深へこみ位置は、横幅が広い位置から横幅が狭い位置に向けてほぼ直線状に形成されている。これは、右利きの人の場合、グリップを握る右手が左手よりやや前方に突出するので、右腕側へこみ部５０の最深へこみ位置は、横幅が狭い位置付近で湾曲させる必要が無いからである。即ち、右の前腕の撓骨において、手首に近い湾曲形状箇所は拘束部材１６に接触しないようにするのが望ましい。
【００３４】
ここで、右利きとは、図３に示すように、ゴルフクラブ５６のグリップを握った場合、右手の親指が左手の親指の外側に被さる状態になる人のことをいう。右利き用の拘束部材１６は、右利き用の１種類のものを作れば、その１種類の拘束部材１６で右利きの殆どのゴルファーに適用することができる。これは、右腕の前腕の手首に近い内側位置と左腕の前腕の手首に近い内側位置との間隔は、男性や女性の相違に拘わらず、痩せた人や太った人の相違に拘わらず、腕の長い人や腕の短い人の相違に拘わらず、肩幅の広い人や肩幅の狭い人に拘わらず、ほぼ一定であることを発見したことによる。即ち、拘束部材１６における幅の狭い位置での右腕側へこみ部５０と左腕側へこみ部５２との間隔を一定のものとして、全てのゴルファーに適応することができる。本発明のゴルフスイングトレーニング装置１０では、拘束部材１６における幅の狭い位置付近での前腕の保持（締付け手段２６，３６の位置での両腕の保持）が特に重要である。拘束部材１６の腕方向の長さは、前腕の半分より少しだけ長い長さ（腕全体からすると短い長さ）であるため、肩幅の広さに相違があったとしても、拘束部材１６における幅の広い位置での個人の左右の腕の間隔の誤差は少なく、この誤差はゴルフスイングトレーニング装置１０の効果には大きな影響を与えるものではない。
【００３５】
よって、原則として、右利き用の１種類の標準タイプの拘束部材１６を作れば、殆ど全ての標準の体形の右利きのゴルファーに適用することができる。このように、右利き用の拘束部材１６も左利き用の拘束部材１６も１種類のものでよいため、本願のゴルフスイングトレーニング装置１０は非常に安価なものとなる。なお、体形が標準の大きさから外れている人もいることから、その体形の人のために１〜２種類の規格外の拘束部材１６を作る場合も考えられるが、その規格外の拘束部材１６であっても、標準タイプの拘束部材１６と大きさは殆ど変わらないので、収容部材１８は大きさを変える必要は無い。従って、右利き用の拘束部材１６は、１種類かまたはもう１種類を準備すれば、全ての右利きの人に適応することができる。また、右利き用の拘束部材１６の対称形のものを作れば、左利き用の拘束部材１６とすることができる。
【００３６】
ここで、ゴルフスイングトレーニング装置１０の使用方法について説明する。使用者が右利きの場合に、右利き用の拘束部材１６を収容部材１８の内部に装着して、舌状延長部４４で収容部材１８の開口部４２を閉じ、舌状延長部４４の接着部材４６を収容部材１８の外表面に接着させる。これによって、拘束部材１６は収容部材１８の内部に収容される。拘束部材１６を収容部材１８の内部に装着する際に、拘束部材１６の左腕側へこみ部５２を、左腕用前腕巻き付け部材１４が固定してある方向に向けて装着する。
【００３７】
次に、左腕用前腕巻き付け部材１４に左腕の前腕を挿入し、舌状延長部３２の接着部材３４を左腕用前腕巻き付け部材１４の外表面に接触させる。これによって、左腕の前腕を左腕用前腕巻き付け部材１４に固定することができる。更に、ゴム等の締め付け手段３６を引っ張った状態にして、左腕用前腕巻き付け部材１４における左手首に近い位置に巻き付けて、締め付け手段３６に取付けた接着部材３７を左腕用前腕巻き付け部材１４に接着させる。この締め付け手段３６によって、左腕用前腕巻き付け部材１４と左腕の前腕との固定状態をより強固にすることができる。この左腕用前腕巻き付け部材１４は、縫製（第二固定手段）等によって収容部材１８に一体に固定されているので、左腕用前腕巻き付け部材１４に固定された左腕の前腕は、収容部材１８の内部に収容される拘束部材１６と固定された状態となる。この際、左腕の前腕は、拘束部材１６の左腕側へこみ部５２の形状に合致する。
【００３８】
次に、右腕用前腕巻き付け部材１２に右腕の前腕を挿入し、舌状延長部２２の接着部材２４を右腕用前腕巻き付け部材１２の外表面に接触させる。これによって、右腕の前腕を右腕用前腕巻き付け部材１２に固定することができる。更に、ゴム等の締め付け手段２６を引っ張った状態にして、右腕用前腕巻き付け部材１２における右手首に近い位置に巻き付けて、締め付け手段２６に取付けた接着部材２８を右腕用前腕巻き付け部材１２に接着させる。この締め付け手段２６によって、右腕用前腕巻き付け部材１２と右腕の前腕との固定状態をより強固にすることができる。この右腕用前腕巻き付け部材１２は、収容部材１８とは別体に構成されているので、この右腕用前腕巻き付け部材１２を収容部材１８に取付けられた接着部材４８に接合して接着させる。この接着部材４８は、フック素材／ループ素材から成るファスナーのフック素材（第一固定手段）から成り、右腕用前腕巻き付け部材１２はファスナー（固定手段）のループ素材（第一固定手段）から成るものとする。なお、ファスナー（固定手段）のフック素材から成る接着部材４８を右腕用前腕巻き付け部材１２に取付け、収容部材１８をファスナー（固定手段）のループ素材から成るものとしても良い。接着部材４８を使用するフック素材／ループ素材から成るファスナー（第一固定手段）は、スイング時に加えられる力では外れないように設定する。収容部材１８に取付けられた接着部材４８と右腕用前腕巻き付け部材１２との接着（固定）によって、右腕用前腕巻き付け部材１２に固定された右腕の前腕は、収容部材１８の内部に収容された拘束部材１６と固定された状態となる。この際、右腕の前腕は、拘束部材１６の右腕側へこみ部５０に合致するように、収容部材１８の接着部材４８と右腕用前腕巻き付け部材１２とを接着させる。
【００３９】
図３に示すように、ゴルフスイングトレーニング装置１０に右腕と左腕を取付けた状態では、右腕と左腕とが拘束部材１６に固定された状態となる。このため、右腕と左腕にゴルフスイングトレーニング装置１０を取付けた状態で練習を行うと、アドレス時でもテークバック時でもインパクト時でもフォロースルー時でも、ゴルフクラブ５６を保持する両腕の前腕の保持角度θが一定の固定状態で、スイングをすることができる。このスイング時に両腕の前腕の保持角度θが一定に保たれるので、理想的なスイングを行えないゴルファーにとっては、スイングの際の至る所で両腕に拘束力がかかる。スイングの途中でこの拘束力を感じる時には、前腕の保持角度が理想状態になっていないことから、このゴルフスイングトレーニング装置１０の使用者は、全てのスイング位置で拘束力が感じられないように練習を行う。練習の結果、ゴルフスイングトレーニング装置１０からの拘束力が感じられないようになると、スイング時の前腕の保持角度θが理想的なものになったとみなされる。
【００４０】
本発明では、拘束部材１６は、ゴルフのスイング等の人力による外力が加わって変形せず、しかも発泡スチロール等の安価で軽量な素材で、１つの塊として形成される。拘束部材１６は外力が加わっても変形しないものであり、しかも部品を組み合わせて構成したものではなく、１つの塊から構成されるものなので、ゴルフスイングトレーニング装置１０の使用時に拘束部材１６に繰返し荷重がかかったとしても、拘束部材１６は壊れることは無い。よって、本願のゴルフスイングトレーニング装置１０は、長期間壊れること無く使用することが可能となる。拘束部材１６は発泡スチロール等の軽量で安価な素材で形成するので、ゴルフスイングトレーニング装置１０そのものを軽量で安価なものとすることができる。
【００４１】
図１に示すゴルフスイングトレーニング装置１０においては、拘束部材１６を包む収容部材１８と左腕用前腕巻き付け部材１４とが縫製（第二固定手段）によって予め一体に固定されており、一方、右腕用前腕巻き付け部材１２は収容部材１８や左腕用前腕巻き付け部材１４とは別体に形成されて、接合によって接着できるもの（第一固定手段）を示した。これは、図２に示すように、収容部材１８と左腕用前腕巻き付け部材１４と右腕用前腕巻き付け部材１２との３つの部材を接着した状態で、例えばゴルファーが転倒しそうになった際に、右手と左手とが離れる（右腕用前腕巻き付け部材１２が収容部材１８に取付けた接着部材４８から離れる）ようにするためであり、転倒等の際にゴルファーの両手が自由に使えて、怪我をすることがないようにするためである。言い換えると、右手と左手とを離す方向に大きな力を加えることで、右手と左手とが自由になるように設定するためである。
【００４２】
なお、収容部材１８と左腕用前腕巻き付け部材１４とを縫製（第二固定手段）によって予め一体に固定したが、収容部材１８と左腕用前腕巻き付け部材１４とを別体にしておいても良い。しかし、左腕用前腕巻き付け部材１４を収容部材１８に対して別体にするとした場合には、収容部材１８に左腕用前腕巻き付け部材１４と着脱するための接着部材４８を取付けなければならずコストアップになるため、左腕用前腕巻き付け部材１４を収容部材１８に予め一体に固定しておく方が望ましい。更に、収容部材１８を中央に挟んで右腕用前腕巻き付け部材１２と左腕用前腕巻き付け部材１４との３体を固定状態としてスイングすることから、一方の左腕用前腕巻き付け部材１４を収容部材１８に予め一体に固定しておく方が便利である。
【００４３】
なお、前述の説明において、フック素材／ループ素材から成るファスナーのフック素材としたものをループ素材に置き換え、ループ素材としたものをフック素材に置き換えても良い。また、前述の説明では、左腕用前腕巻き付け部材１４と収容部材１８とを縫製等によって常時固定状態とし、右腕用前腕巻き付け部材１２を収容部材１８に対して着脱自在として説明したが、右腕用前腕巻き付け部材１２を収容部材１８と縫製等によって常時固定状態とし、左腕用前腕巻き付け部材１４を収容部材１８に対して着脱自在としても良い。更に、前述の説明では、第一固定手段や第二固定手段としたが、表現としての第一固定手段と第二固定手段とを入れ換えても良い。その上、前述の説明では、説明の便宜上から、右腕用前腕巻き付け部材１２と左腕用前腕巻き付け部材１４として、右腕と左腕とを特定して説明したが、右腕用前腕巻き付け部材１２と左腕用前腕巻き付け部材１４のいずれか一方を第一前腕巻き付け部材とし、いずれか他方を第二前腕巻き付け部材としても良い。
【図面の簡単な説明】
【００４４】
【図１】本発明に係るゴルフスイングトレーニング装置の分解斜視図である。
【図２】図１のゴルフスイングトレーニング装置の組み立て状態を示す斜視図である。
【図３】図２のゴルフスイングトレーニング装置を両腕に取付けた状態を示す正面図である。
【図４】本発明のゴルフスイングトレーニング装置に使用する拘束部材の斜視図である。
【図５】図４のＡ方向正面図である。
【図６】図４のＢ方向側面図である。
【図７】図６のＣ−Ｃ船断面図である。
【図８】従来既知のゴルフスイングトレーニング装置をゴルファーに装着した状態を示す正面図である。
【図９】図８のゴルフスイングトレーニング装置の主要構成部材を分解した正面図である。
【図１０】図８のゴルフスイングトレーニング装置に使用する拘束ウエッジの分解斜視図である。
【符号の説明】
【００４５】
１０  ゴルフスイングトレーニング装置
１２  右腕用前腕巻き付け部材
１４  左腕用前腕巻き付け部材
１６  拘束部材
１８  収容部材
２２  舌状延長部
２４  接着部材
２６  締付け部材
２８  接着部材
３２  舌状延長部
３４  接着部材
３６  締付け部材
３８  接着部材
４４  舌状延長部
４６  接着部材
４８  接着部材
５０  右腕用へこみ部
５２  左腕用へこみ部
５４  湾曲部
【図１】
2009011539.tif 000003
【図２】
2009011539.tif 000004
【図３】
2009011539.tif 000005
【図４】
2009011539.tif 000006
【図５】
2009011539.tif 000007
【図６】
2009011539.tif 000008
【図７】
2009011539.tif 000009
【図８】
2009011539.tif 000010
【図９】
2009011539.tif 000011
【図１０】
2009011539.tif 000012